【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
キャリアアグリゲーション（ＣＡ）構成の複数のコンポーネントキャリア（ＣＣ）のためのアップリンク制御情報（ＵＣＩ）を識別することと、前記ＵＣＩはペイロードサイズを有する、
前記ＵＣＩのアップリンク制御チャネルフォーマットまたはＵＣＩタイプに少なくとも部分的に基づいて、しきい値ペイロードサイズを識別することと、
前記しきい値ペイロードサイズに対する前記ＵＣＩの前記ペイロードサイズの比較に少なくとも部分的に基づいて、前記ＵＣＩの送信に巡回冗長検査（ＣＲＣ）情報を含めることを決定することと、
前記決定することに従って前記ＵＣＩと前記ＣＲＣ情報とを備えるアップリンクチャネルを送信することと
を備える、方法。
【請求項２】
前記ＣＡ構成が、１次セル（ＰＣｅｌｌ）と、物理アップリンク制御チャネル（ＰＵＣＣＨ）対応２次セル（ＳＣｅｌｌ）とをさらに備え、ここにおいて、ＣＲＣ情報を含めることを決定することは、少なくとも第１のグループと第２のグループとについて別々に実行され、ここにおいて、前記第１のグループは前記ＰＣｅｌｌを備え、前記第２のグループは前記ＰＵＣＣＨ対応ＳＣｅｌｌを備える、請求項１に記載の方法。
【請求項３】
前記ＣＣが無認可スペクトルの周波数リソースを備えると決定することをさらに備え、ここにおいて、前記ＵＣＩの送信にＣＲＣ情報を含めるという前記決定は、前記キャリアが前記無認可スペクトルの前記周波数リソースを備えるという前記決定に少なくとも部分的に基づく、
請求項１に記載の方法。
【請求項４】
前記ＵＣＩの前記ペイロードのためのコーディング方式を選択することをさらに備え、ここにおいて、前記ＣＲＣ情報を含めるという前記決定が、前記コーディング方式に関連する、
請求項１に記載の方法。
【請求項５】
前記ＣＡ構成の前記ＣＣのためのＵＣＩを識別することが、
前記ＣＡ構成の複数のＣＣのためのＵＣＩを識別することを備え、ここにおいて、ＣＲＣ情報を含めるという前記決定が、前記複数中の数量に少なくとも部分的に基づく、
請求項１に記載の方法。
【請求項６】
前記ＵＣＩが複数のＵＣＩタイプを備え、ここにおいて、ＣＲＣ情報を含めるという前記決定が、
前記複数のうちの１つまたは複数のＵＣＩタイプについて別々にＣＲＣ情報を含めるべきかどうかを決定すること
を備える、請求項１に記載の方法。
【請求項７】
ワイヤレス通信のための装置であって、
キャリアアグリゲーション（ＣＡ）構成の複数のコンポーネントキャリア（ＣＣ）のためのアップリンク制御情報（ＵＣＩ）を識別するための手段と、前記ＵＣＩはペイロードサイズを有する、
アップリンク制御チャネルフォーマットまたはしきい値ペイロードサイズに対する前記ＵＣＩの前記ペイロードサイズの比較に少なくとも部分的に基づいて、前記ＵＣＩの送信に巡回冗長検査（ＣＲＣ）情報を含めることを決定するための手段と、
前記決定することに従って前記ＵＣＩと前記ＣＲＣ情報とを備えるアップリンクチャネルを送信するための手段と
を備える、装置。
【請求項８】
前記ＣＡ構成が、１次セル（ＰＣｅｌｌ）と、物理アップリンク制御チャネル（ＰＵＣＣＨ）対応２次セル（ＳＣｅｌｌ）とをさらに備える、請求項７に記載の装置。
【請求項９】
ＣＲＣ情報を含めることを決定するための前記手段は、少なくとも第１のグループと第２のグループとについて別々に前記決定することを実行し、ここにおいて、前記第１のグループは前記ＰＣｅｌｌを備え、前記第２のグループは前記ＰＵＣＣＨ対応ＳＣｅｌｌを備える、
請求項８に記載の装置。
【請求項１０】
前記ＣＲＣ情報が少なくともＵＣＩタイプに基づく数ビットを備える、または、
前記ＣＡ構成が６つ以上のコンポーネントキャリア（ＣＣ）を備える、または、
前記アップリンクチャネルが、
ＰＣｅｌｌ上の物理アップリンク制御チャネル（ＰＵＣＣＨ）、または、
ＰＵＣＣＨ対応ＳＣｅｌｌ上の物理アップリンク制御チャネル（ＰＵＣＣＨ）、または、
物理アップリンク共有チャネル（ＰＵＳＣＨ）、
を備える、
請求項１に記載の方法または請求項７に記載の装置。
【請求項１１】
前記ＵＣＩの送信にＣＲＣ情報を含めることを決定するための前記手段がさらに、少なくとも前記ＵＣＩのペイロードサイズに基づく、請求項７に記載の装置。
【請求項１２】
前記ＵＣＩのペイロードサイズを識別するための手段と、ここにおいて、前記ＣＲＣ情報を含めるという前記決定は、前記ペイロードサイズがしきい値を超えることに少なくとも部分的に基づく、または、
前記ＵＣＩの前記ペイロードのためのコーディング方式を選択するための手段と、ここにおいて、前記ＣＲＣ情報を含めることを前記決定することは、前記コーディング方式に関連する、
をさらに備える、請求項１１に記載の装置。
【請求項１３】
前記しきい値は、前記アップリンクチャネルが、物理アップリンク制御チャネル（ＰＵＣＣＨ）を備えるのか、物理アップリンク共有チャネル（ＰＵＳＣＨ）を備えるのかに少なくとも部分的に基づく、または、
前記ＵＣＩの前記ペイロードサイズは、無線リソース制御（ＲＲＣ）構成、動的シグナリング、またはトランスポートブロックの数、またはそれらの任意の組合せのうちの少なくとも１つに少なくとも部分的に基づいて識別される、請求項４に記載の方法または請求項１２に記載の装置。
【請求項１４】
前記ＵＣＩが複数のＵＣＩタイプを備え、ここにおいて、前記ＵＣＩの送信にＣＲＣ情報を含めることを決定するための前記手段が、
前記複数のうちの１つまたは複数のＵＣＩタイプについて別々にＣＲＣ情報を含めるべきかどうかを決定するための手段
を備える、請求項７に記載の装置。
【請求項１５】
非一時的コンピュータ可読媒体を備えるコンピュータプログラム製品であって、前記非一時的コンピュータ可読媒体が、
コンピュータによって前記プログラムが実行されると、前記コンピュータに、請求項１〜請求項６、請求項１０および請求項１３の方法を実行させる命令を備える、コンピュータプログラム製品。
【手続補正２】
【補正対象書類名】明細書
【補正対象項目名】０１２３
【補正方法】変更
【補正の内容】
【０１２３】
[0131]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  ワイヤレス通信の方法であって、
キャリアアグリゲーション（ＣＡ）構成のコンポーネントキャリア（ＣＣ）のためのアップリンク制御情報（ＵＣＩ）を識別することと、
ＵＣＩ特性またはアップリンク制御チャネルフォーマットに少なくとも部分的に基づいて、前記ＵＣＩについての巡回冗長検査（ＣＲＣ）情報を含めることを決定することと、  前記ＵＣＩと前記ＣＲＣ情報とを備えるアップリンクチャネルを送信することと
を備える、方法。
[Ｃ２]  前記ＣＡ構成が、１次セル（ＰＣｅｌｌ）と、物理アップリンク制御チャネル（ＰＵＣＣＨ）対応２次セル（ＳＣｅｌｌ）とをさらに備える、Ｃ１に記載の方法。
[Ｃ３]  ＣＲＣ情報を含めることを決定することが、少なくとも第１のグループと第２のグループとについて別々に実行され、ここにおいて、前記第１のグループが前記ＰＣｅｌｌを備え、前記第２のグループが前記ＰＵＣＣＨ対応ＳＣｅｌｌを備える、Ｃ２に記載の方法。
[Ｃ４]  前記ＣＣが無認可スペクトルの周波数リソースを備えると決定することをさらに備え、ここにおいて、前記ＵＣＩについてのＣＲＣ情報を含めるという前記決定は、前記キャリアが前記無認可スペクトルの前記周波数リソースを備えるという前記決定に少なくとも部分的に基づく、
Ｃ１に記載の方法。
[Ｃ５]  前記ＵＣＩ特性が前記ＵＣＩのペイロードサイズを備える、Ｃ１に記載の方法。
[Ｃ６]  前記ＵＣＩのペイロードサイズを識別することをさらに備え、ここにおいて、前記ＣＲＣ情報を含めるという前記決定は、前記ペイロードサイズがしきい値を超えることに少なくとも部分的に基づく、
Ｃ５に記載の方法。
[Ｃ７]  前記しきい値は、前記アップリンクチャネルが、物理アップリンク制御チャネル（ＰＵＣＣＨ）を備えるのか、物理アップリンク共有チャネル（ＰＵＳＣＨ）を備えるのかに少なくとも部分的に基づく、Ｃ６に記載の方法。
[Ｃ８]  前記ＵＣＩの前記ペイロードサイズは、無線リソース制御（ＲＲＣ）構成、動的シグナリング、またはトランスポートブロックの数、またはそれらの任意の組合せのうちの少なくとも１つに少なくとも部分的に基づいて識別される、Ｃ６に記載の方法。
[Ｃ９]  前記ＵＣＩの前記ペイロードのためのコーディング方式を選択することをさらに備え、ここにおいて、前記ＣＲＣ情報を含めるという前記決定が、前記コーディング方式に関連する、
Ｃ５に記載の方法。
[Ｃ１０]  前記ＣＡ構成の前記ＣＣのためのＵＣＩを識別することが、
前記ＣＡ構成の複数のＣＣのためのＵＣＩを識別することを備え、ここにおいて、ＣＲＣ情報を含めるという前記決定が、前記複数中の数量に少なくとも部分的に基づく、
Ｃ５に記載の方法。
[Ｃ１１]  前記ＵＣＩ特性がＵＣＩタイプを備える、Ｃ１に記載の方法。
[Ｃ１２]  前記ＵＣＩが複数のＵＣＩタイプを備え、ここにおいて、ＣＲＣ情報を含めるという前記決定が、
前記複数のうちの１つまたは複数のＵＣＩタイプについて別々にＣＲＣ情報を含めるべきかどうかを決定すること
を備える、Ｃ１に記載の方法。
[Ｃ１３]  前記複数のＵＣＩタイプが、肯定応答（ＡＣＫ）、否定ＡＣＫ（ＮＡＫ）、チャネル品質インジケータ（ＣＱＩ）、プリコーディング行列インジケータ（ＰＭＩ）、ランクインジケータ（ＲＩ）、プロシージャトランザクション識別子（ＰＴＩ）、スケジューリング要求（ＳＲ）、またはそれらの任意の組合せのうちの少なくとも１つを備える、Ｃ１２に記載の方法。
[Ｃ１４]  前記ＣＲＣ情報が、ＵＣＩタイプに少なくとも部分的に基づく数ビットを備える、Ｃ１に記載の方法。
[Ｃ１５]  前記アップリンクチャネルが、ＰＣｅｌｌ上の物理アップリンク制御チャネル（ＰＵＣＣＨ）を備える、Ｃ１に記載の方法。
[Ｃ１６]  前記アップリンクチャネルが、ＰＵＣＣＨ対応ＳＣｅｌｌ上の物理アップリンク制御チャネル（ＰＵＣＣＨ）を備える、Ｃ１に記載の方法。
[Ｃ１７]  前記アップリンクチャネルが物理アップリンク共有チャネル（ＰＵＳＣＨ）を備える、Ｃ１に記載の方法。
[Ｃ１８]  前記ＣＡ構成が６つ以上のコンポーネントキャリア（ＣＣ）を備える、Ｃ１に記載の方法。
[Ｃ１９]  ワイヤレス通信のための装置であって、
キャリアアグリゲーション（ＣＡ）構成のコンポーネントキャリア（ＣＣ）のためのアップリンク制御情報（ＵＣＩ）を識別するための手段と、
ＵＣＩ特性またはアップリンク制御チャネルフォーマットに少なくとも部分的に基づいて、前記ＵＣＩについての巡回冗長検査（ＣＲＣ）情報を含めることを決定するための手段と、
前記ＵＣＩと前記ＣＲＣ情報とを備えるアップリンクチャネルを送信するための手段とを備える、装置。
[Ｃ２０]  前記ＣＡ構成が、１次セル（ＰＣｅｌｌ）と、物理アップリンク制御チャネル（ＰＵＣＣＨ）対応２次セル（ＳＣｅｌｌ）とをさらに備える、Ｃ１９に記載の装置。
[Ｃ２１]  前記ＣＣが無認可スペクトルの周波数リソースを備えると決定するための手段をさらに備え、ここにおいて、前記ＵＣＩについてのＣＲＣ情報を含めるという前記決定は、前記キャリアが前記無認可スペクトルの前記周波数リソースを備えるという前記決定に少なくとも部分的に基づく、
Ｃ１９に記載の装置。
[Ｃ２２]  前記ＵＣＩ特性が前記ＵＣＩのペイロードサイズを備える、Ｃ１９に記載の装置。
[Ｃ２３]  前記ＵＣＩのペイロードサイズを識別するための手段をさらに備え、ここにおいて、前記ＣＲＣ情報を含めるという前記決定は、前記ペイロードサイズがしきい値を超えることに少なくとも部分的に基づく、
Ｃ２２に記載の装置。
[Ｃ２４]  前記しきい値は、前記アップリンクチャネルが、物理アップリンク制御チャネル（ＰＵＣＣＨ）を備えるのか、物理アップリンク共有チャネル（ＰＵＳＣＨ）を備えるのかに少なくとも部分的に基づく、Ｃ２３に記載の装置。
[Ｃ２５]  前記ＵＣＩの前記ペイロードサイズは、無線リソース制御（ＲＲＣ）構成、動的シグナリング、またはトランスポートブロックの数、またはそれらの任意の組合せのうちの少なくとも１つに少なくとも部分的に基づいて識別される、Ｃ２３に記載の装置。
[Ｃ２６]  前記ＵＣＩの前記ペイロードのためのコーディング方式を選択するための手段をさらに備え、ここにおいて、前記ＣＲＣ情報を含めるという前記決定が、前記コーディング方式に関連する、
Ｃ２２に記載の装置。
[Ｃ２７]  前記ＣＡ構成の前記ＣＣのためのＵＣＩを識別するための前記手段が、
前記ＣＡ構成の複数のＣＣのためのＵＣＩを識別するための手段を備え、ここにおいて、ＣＲＣ情報を含めるという前記決定が、前記複数中の数量に少なくとも部分的に基づく、
Ｃ２２に記載の装置。
[Ｃ２８]  前記ＵＣＩ特性がＵＣＩタイプを備える、Ｃ１９に記載の装置。
[Ｃ２９]  前記ＵＣＩが複数のＵＣＩタイプを備え、ここにおいて、前記ＵＣＩについてのＣＲＣ情報を含めることを決定するための前記手段が、
前記複数のうちの１つまたは複数のＵＣＩタイプについて別々にＣＲＣ情報を含めるべきかどうかを決定するための手段
を備える、Ｃ１９に記載の装置。
[Ｃ３０]  前記複数のＵＣＩタイプが、肯定応答（ＡＣＫ）、否定ＡＣＫ（ＮＡＫ）、チャネル品質インジケータ（ＣＱＩ）、プリコーディング行列インジケータ（ＰＭＩ）、ランクインジケータ（ＲＩ）、プロシージャトランザクション識別子（ＰＴＩ）、スケジューリング要求（ＳＲ）、またはそれらの任意の組合せのうちの少なくとも１つを備える、Ｃ２９に記載の装置。
[Ｃ３１]  前記ＣＲＣ情報が、ＵＣＩタイプに少なくとも部分的に基づく数ビットを備える、Ｃ１９に記載の装置。
[Ｃ３２]  前記アップリンクチャネルが、ＰＣｅｌｌ上の物理アップリンク制御チャネル（ＰＵＣＣＨ）を備える、Ｃ１９に記載の装置。
[Ｃ３３]  前記アップリンクチャネルが、ＰＵＣＣＨ対応ＳＣｅｌｌ上の物理アップリンク制御チャネル（ＰＵＣＣＨ）を備える、Ｃ１９に記載の装置。
[Ｃ３４]  前記アップリンクチャネルが物理アップリンク共有チャネル（ＰＵＳＣＨ）を備える、Ｃ１９に記載の装置。
[Ｃ３５]  前記ＣＡ構成が６つ以上のコンポーネントキャリア（ＣＣ）を備える、Ｃ１９に記載の装置。
[Ｃ３６]  ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
キャリアアグリゲーション（ＣＡ）構成のコンポーネントキャリア（ＣＣ）のためのアップリンク制御情報（ＵＣＩ）を識別することと、
ＵＣＩ特性またはアップリンク制御チャネルフォーマットに少なくとも部分的に基づいて、前記ＵＣＩについての巡回冗長検査（ＣＲＣ）情報を含めることを決定することと、
前記ＵＣＩと前記ＣＲＣ情報とを備えるアップリンクチャネルを送信することと
を行わせるように動作可能である、
装置。
[Ｃ３７]  前記ＣＡ構成が、１次セル（ＰＣｅｌｌ）と、物理アップリンク制御チャネル（ＰＵＣＣＨ）対応２次セル（ＳＣｅｌｌ）とをさらに備える、Ｃ３６に記載の装置。
[Ｃ３８]  前記命令が、前記プロセッサに、
前記ＣＣが無認可スペクトルの周波数リソースを備えると決定することを行わせるように動作可能であり、ここにおいて、前記ＵＣＩについてのＣＲＣ情報を含めるという前記決定は、前記キャリアが前記無認可スペクトルの前記周波数リソースを備えるという前記決定に少なくとも部分的に基づく、
Ｃ３６に記載の装置。
[Ｃ３９]  前記ＵＣＩが複数のＵＣＩタイプを備え、ここにおいて、前記命令が、前記プロセッサに、
前記複数のうちの１つまたは複数のＵＣＩタイプについて別々にＣＲＣ情報を含めるべきかどうかを決定すること
を行わせるように動作可能である、Ｃ３６に記載の装置。
[Ｃ４０]  非一時的コンピュータ可読媒体を備えるコンピュータプログラム製品であって、前記非一時的コンピュータ可読媒体が、
キャリアアグリゲーション（ＣＡ）構成のコンポーネントキャリア（ＣＣ）のためのアップリンク制御情報（ＵＣＩ）を識別するための命令と、
ＵＣＩ特性またはアップリンク制御チャネルフォーマットに少なくとも部分的に基づいて、前記ＵＣＩについての巡回冗長検査（ＣＲＣ）情報を含めることを決定するための命令と、
前記ＵＣＩと前記ＣＲＣ情報とを備えるアップリンクチャネルを送信するための命令とを備える、コンピュータプログラム製品。